(57)【要約】【課題】トナーカートリッジおよびドラムカートリッジのそれぞれにシャッターが設けられている構成において、１つの動作でトナーカートリッジをドラムカートリッジから取り外すことができる画像形成装置を提供する。【解決手段】  トナーカートリッジ５は、排出口２７を有する第１筐体２１と、第１シャッター２２とを有する。ドラムカートリッジ４は、受入口３２Ａを有する第２筐体３２と、第２シャッター３３とを有する。トナーカートリッジ５が装着されたドラムカートリッジ４が装置本体２に装着されるときに、第１シャッター２２が第１閉位置から第１開位置へ移動するとともに、第２シャッター３３が第２閉位置から第２開位置へ移動する。また、トナーカートリッジ５が装着されたドラムカートリッジ４が装置本体２から離脱されるときに、第１シャッター２２が第１開位置から第１閉位置へ移動するとともに、第２シャッター３３が第２開位置から第２閉位置へ移動する。【選択図】図１
2020020889.tif 000002
【特許請求の範囲】
【請求項１】
トナーを排出するための排出口を有する第１筐体と、前記排出口を閉鎖する第１閉位置と前記排出口を開放する第１開位置との間で移動可能な第１シャッターと、を有するトナーカートリッジと、
感光ドラムと、現像ローラと、前記排出口から排出されたトナーを受け入れるための受入口を有する第２筐体と、前記受入口を閉鎖する第２閉位置と前記受入口を開放する第２開位置との間で移動可能な第２シャッターと、を有するドラムカートリッジであって、前記トナーカートリッジを装着可能なドラムカートリッジと、
前記トナーカートリッジが装着された状態の前記ドラムカートリッジを着脱可能な装置本体と、を備え、
前記トナーカートリッジが装着された前記ドラムカートリッジが前記装置本体に装着されるときに、前記第１シャッターが前記第１閉位置から前記第１開位置へ移動するとともに、前記第２シャッターが前記第２閉位置から前記第２開位置へ移動するように構成され、
前記トナーカートリッジが装着された前記ドラムカートリッジが前記装置本体から離脱されるときに、前記第１シャッターが前記第１開位置から前記第１閉位置へ移動するとともに、前記第２シャッターが前記第２開位置から前記第２閉位置へ移動するように構成されることを特徴とする、画像形成装置。
【請求項２】
前記第２シャッターは、前記トナーカートリッジが装着された前記ドラムカートリッジが前記装置本体に装着されるときに、前記装置本体の一部と接触して、前記第２シャッターを前記第１閉位置から前記第１開位置に移動させるレバーであり、前記ドラムカートリッジが前記装置本体に装着された状態で、前記装置本体の一部と接触して、前記第２シャッターを前記第１開位置に維持させるレバーを有する、ことを特徴とする、請求項１に記載の画像形成装置。
【請求項３】
前記感光ドラムは、軸方向に延びる第１軸について回転可能であり、
前記第２筐体は、第１側板と、前記軸方向において前記第１側板と間隔を隔てて位置する第２側板と、を有し、
前記トナーカートリッジが前記ドラムカートリッジに装着された状態で、前記レバーの少なくとも一部は、前記軸方向において、前記第２側板に対して前記第１側板の反対側に位置することを特徴とする、請求項２に記載の画像形成装置。
【請求項４】
前記装置本体に対する前記ドラムカートリッジの装着方向は、前記軸方向と直交する方向であることを特徴とする、請求項３に記載の画像形成装置。
【請求項５】
前記ドラムカートリッジは、前記ドラムカートリッジが装置本体から離脱された状態において、前記第２シャッターを前記第２閉位置に位置させるバネを有することを特徴とする、請求項１から請求項４のいずれか一項に記載の画像形成装置。
【請求項６】
前記受入口は、前記トナーカートリッジが前記ドラムカートリッジに装着された状態において、第１方向において、前記排出口と向かい合い、
前記第１シャッターは、前記第１方向に延びる第２軸について、前記第１閉位置と前記第１開位置との間を回動可能であり、
前記第２シャッターは、前記第１方向に延びる第３軸について、前記第２閉位置と前記第２開位置との間を回動可能であることを特徴とする、請求項１から請求項５のいずれか一項に記載の画像形成装置。
【請求項７】
前記第１シャッターは、前記トナーカートリッジが装着された状態の前記ドラムカートリッジが前記装置本体に装着されるときに、前記装置本体の一部と接触して、前記第１閉位置から前記第１開位置へ移動するように構成され、
前記第２シャッターは、前記トナーカートリッジが装着された状態の前記ドラムカートリッジが前記装置本体に装着されるときに、前記装置本体の前記一部と接触して、前記第２閉位置から前記第２開位置へ移動するように構成されることを特徴とする、請求項１に記載の画像形成装置。
【請求項８】
前記装置本体の前記一部は、前記トナーカートリッジが装着された状態の前記ドラムカートリッジが前記装置本体に装着された状態で、前記排出口と前記受入口の間に位置する開口を有することを特徴とする、請求項７に記載の画像形成装置。
【請求項９】
前記感光ドラムは、軸方向に延びる第１軸について回転可能であり、
前記排出口は、前記軸方向における前記トナーカートリッジの一端部に位置し、
前記受入口は、前記軸方向における前記ドラムカートリッジの一端部に位置し、
前記トナーカートリッジが前記ドラムカートリッジに装着された状態で、前記排出口と前記受入口とは、前記軸方向における前記第２筐体の第１側板に対して、前記軸方向における前記第２筐体の第２側板の反対側に位置することを特徴とする、請求項７または請求項８に記載の画像形成装置。
【請求項１０】
前記第１シャッターは、前記装置本体に対する前記ドラムカートリッジの装着方向において、前記第１閉位置と前記第１開位置との間を移動可能であり、
前記第２シャッターは、前記装着方向において、前記第２閉位置と前記第２開位置との間を移動可能であることを特徴とする、請求項７から請求項９のいずれか一項に記載の画像形成装置。
【請求項１１】
前記ドラムカートリッジは、前記第２筐体が前記感光ドラムに対して移動可能となるように前記第２筐体を支持するフレームであって、前記トナーカートリッジを装着可能なフレームを有することを特徴とする、請求項１から請求項１０のいずれか一項に記載の画像形成装置。
【請求項１２】
前記感光ドラムに対する前記第２筐体の移動方向は、前記第２シャッターの移動方向と平行であることを特徴とする、請求項７に記載の画像形成装置。
【発明の詳細な説明】
【技術分野】
【０００１】
本開示は、画像形成装置に関する。
【背景技術】
【０００２】
従来、画像形成装置は、感光ドラムを備えるドロワと、現像ローラを備える現像器と、トナーを収容するトナーカートリッジとを備える。ドロワは、画像形成装置に装着された装着位置と、画像形成装置から引き出された引出位置との間で移動可能である。トナーカートリッジは、トナーを排出するための排出口を有する第１筐体と、排出口を閉鎖する第１閉位置と排出口を開放する第１開位置との間で移動可能な第１シャッターとを備える。現像器は、排出口から排出されたトナーを受け入れるための受入口を有する第２筐体と、受入口を閉鎖する第２閉位置と受入口を開放する第２開位置との間で移動可能な第２シャッターとを備える。トナーカートリッジが装着されたドロワが引出位置から装着位置へ移動するときに、第１シャッターが第１閉位置から第１開位置へ移動するとともに、第２シャッターは、第２閉位置から第２開位置へ移動する（下記特許文献１参照）。
【先行技術文献】
【特許文献】
【０００３】
【特許文献１】特開２０１１−１８６０６７号公報
【発明の概要】
【発明が解決しようとする課題】
【０００４】
しかし、上記した特許文献１では、ドロワが引出位置に位置する状態で、ユーザが、ドロワからトナーカートリッジを取り外す場合、ユーザーは、トナーカートリッジのシャッターを閉じる操作を行った後に、ドロワからトナーカートリッジを取り外す必要がある。
【０００５】
そのため、ドロワからトナーカートリッジを取り外すために２つの動作が必要となり、ユーザーの操作性が劣る。
【０００６】
そこで、本開示の目的は、トナーカートリッジおよびドラムカートリッジのそれぞれにシャッターが設けられている構成において、１つの動作でトナーカートリッジをドラムカートリッジから取り外すことができる画像形成装置を提供することにある。
【課題を解決するための手段】
【０００７】
（１）本開示の画像形成装置は、トナーカートリッジと、ドラムカートリッジと、装置本体とを備える。
【０００８】
トナーカートリッジは、第１筐体と、第１シャッターとを有する。第１筐体は、トナーを排出するための排出口を有する。第１シャッターは、排出口を閉鎖する第１閉位置と、排出口を開放する第１開位置との間で移動可能である。
【０００９】
ドラムカートリッジは、感光ドラムと、現像ローラと、第２筐体と、第２シャッターとを有する。第２筐体は、排出口から排出されたトナーを受け入れるための受入口を有する。第２シャッターは、受入口を閉鎖する第２閉位置と、受入口を開放する第２開位置との間で移動可能である。ドラムカートリッジは、トナーカートリッジを装着可能である。
【００１０】
装置本体は、トナーカートリッジが装着された状態のドラムカートリッジを着脱可能である。
【００１１】
画像形成装置は、トナーカートリッジが装着されたドラムカートリッジが装置本体に装着されるときに、第１シャッターが第１閉位置から第１開位置へ移動するとともに、第２シャッターが第２閉位置から第２開位置へ移動するように構成される。
【００１２】
また、画像形成装置は、トナーカートリッジが装着されたドラムカートリッジが装置本体から離脱されるときに、第１シャッターが第１開位置から第１閉位置へ移動するとともに、第２シャッターが第２開位置から第２閉位置へ移動するように構成される。
【００１３】
このような構成によれば、トナーカートリッジが装着されたドラムカートリッジが装置本体から離脱されるときに、第１シャッターを第１開位置から第１閉位置へ移動することができるとともに、第２シャッターを第２開位置から第２閉位置へ移動させることができる。
【００１４】
その結果、トナーカートリッジおよびドラムカートリッジのそれぞれにシャッターが設けられている構成において、１つの動作でトナーカートリッジをドラムカートリッジから取り外すことができる。
【００１５】
（２）第２シャッターは、トナーカートリッジが装着されたドラムカートリッジが装置本体に装着されるときに、装置本体の一部と接触して、第２シャッターを第２閉位置から第２開位置に移動させる。レバーは、ドラムカートリッジが装置本体に装着された状態で、装置本体の一部と接触して、第２シャッターを第２開位置に維持させる。
【００１６】
（３）感光ドラムは、軸方向に延びる第１軸について回転可能である。第２筐体は、第１側板と、第２側板とを有してもよい。第２側板は、軸方向において第１側板と間隔を隔てて位置する。トナーカートリッジがドラムカートリッジに装着された状態において、レバーの少なくとも一部は、軸方向において、第２側板に対して第１側板の反対側に位置してもよい。
【００１７】
（４）装置本体に対するドラムカートリッジの装着方向は、軸方向と直交する方向であってもよい。
【００１８】
（５）ドラムカートリッジは、バネを有してもよい。バネは、ドラムカートリッジが装置本体から離脱された状態において、第２シャッターを第２閉位置に位置させる。
【００１９】
（６）受入口は、トナーカートリッジがドラムカートリッジに装着された状態において、第１方向において、排出口と向かい合ってもよい。第１シャッターは、第１方向に延びる第２軸について、第１閉位置と第１開位置との間を回動可能であってもよい。第２シャッターは、第１方向に延びる第３軸について、第２閉位置と第２開位置との間を回動可能であってもよい。
【００２０】
（７）第１シャッターは、トナーカートリッジが装着された状態のドラムカートリッジが装置本体に装着されるときに、装置本体の一部と接触して、第１閉位置から第１開位置へ移動するように構成されてもよい。第２シャッターは、トナーカートリッジが装着された状態のドラムカートリッジが装置本体に装着されるときに、装置本体の一部と接触して、第２閉位置から第２開位置へ移動するように構成されてもよい。
【００２１】
（８）装置本体の一部は、開口を有してもよい。開口は、トナーカートリッジが装着された状態のドラムカートリッジが装置本体に装着された状態で、排出口と受入口の間に位置する。
【００２２】
（９）排出口は、軸方向におけるトナーカートリッジの一端部に位置してもよい。受入口は、軸方向におけるドラムカートリッジの一端部に位置してもよい。トナーカートリッジがドラムカートリッジに装着された状態で、排出口と受入口とは、軸方向における第２筐体の第１側板に対して、軸方向における第２筐体の第２側板の反対側に位置してもよい。
【００２３】
（１０）第１シャッターは、装置本体に対するドラムカートリッジの装着方向において、第１閉位置と第１開位置との間を移動可能であってもよい。第２シャッターは、装着方向において、第２閉位置と第２開位置との間を移動可能であってもよい。
【００２４】
（１１）ドラムカートリッジは、フレームを有してもよい。フレームは、第２筐体が感光ドラムに対して移動可能となるように、第２筐体を支持する。フレームは、トナーカートリッジを装着可能である。
【００２５】
（１２）感光ドラムに対する第２筐体の移動方向は、第２シャッターの移動方向と平行であってもよい。
【発明の効果】
【００２６】
本開示の画像形成装置によれば、トナーカートリッジおよびドラムカートリッジのそれぞれにシャッターが設けられている構成において、１つの動作でトナーカートリッジをドラムカートリッジから取り外すことができる。
【図面の簡単な説明】
【００２７】
【図１】図１は、画像形成装置の概略構成図である。
【図２】図２は、図１に示すトナーカートリッジの断面図であって、図３に示すＡ−Ａ線に相当する断面図である。
【図３】図３は、図１に示すトナーカートリッジの平面図である。
【図４】図４は、図３に示す第１筐体の斜視図である。
【図５】図５は、図３に示すトナーカートリッジのＢ−Ｂ断面図である。
【図６】図６は、図１に示すドラムカートリッジの断面図であって、図７に示すＣ−Ｃ線に相当する断面図である。
【図７】図７は、図１に示すドラムカートリッジの平面図である。
【図８】図８は、図７に示す第２筐体の斜視図である。
【図９】図９は、図７に示す第２筐体の拡大図であって、第２シャッターが第２開位置に位置する状態を示す。
【図１０】図１０は、図７に示すトナーカートリッジのＤ−Ｄ断面図である。
【図１１】図１１は、トナーカートリッジが装着されたドラムカートリッジの断面図であって、図３に示すＡ−Ａ線に相当する断面図であり、装置本体から離脱された状態を示す断面図である。
【図１２】図１２は、トナーカートリッジが装着されたドラムカートリッジの断面図であって、図３に示すＢ−Ｂ線に相当する断面図である。
【図１３】図１３は、第２実施形態における第１シャッターおよび第２シャッターの移動を説明する説明図であって、第１シャッターが第１閉位置に位置し、第２シャッターが第２閉位置に位置した状態を示す。
【図１４】図１４は、図１３とともに第２実施形態における第１シャッターおよび第２シャッターの移動を説明する説明図であって、第１シャッターが第１開位置に位置し、第２シャッターが第２開位置に位置した状態を示す。
【図１５】図１５は、図１３に示すトナーカートリッジの平面図である。
【図１６】図１６は、図１３に示すドラムカートリッジの平面図である。
【発明を実施するための形態】
【００２８】
１．画像形成装置の概略
図１を参照して、画像形成装置１の概略について説明する。
【００２９】
画像形成装置１は、装置本体２と、給紙装置３と、ドラムカートリッジ４と、トナーカートリッジ５と、露光装置６と、転写ローラ７と、定着装置８とを備える。
【００３０】
１．１  装置本体
装置本体２には、トナーカートリッジ５が装着された状態のドラムカートリッジ４が、着脱可能である。装置本体２は、ボックス形状を有する。装置本体２は、給紙装置３、露光装置６、転写ローラ７および定着装置８を収容する。また、装置本体２は、ドラムカートリッジ４およびトナーカートリッジ５を収容可能である。装置本体２は、開口２Ａと、カバー２Ｂとを有する。トナーカートリッジ５が装着された状態のドラムカートリッジ４は、装置本体２に対して着脱されるとき、開口２Ａを通過する。カバー２Ｂは、開口２Ａを開放する開位置（図示せず）と、開口２Ａを閉鎖する閉位置（図１参照）との間を移動可能である。
【００３１】
１．２  給紙装置
給紙装置３は、給紙カセット９と、ピックアップローラ１０と、給紙ローラ１１とを備える。給紙カセット９は、印刷用紙Ｐを収容可能である。給紙カセット９は、装置本体２に対して着脱可能である。ピックアップローラ１０は、給紙カセット９に収容された印刷用紙Ｐをピックアップする。給紙ローラ１１は、ピックアップローラ１０によってピックアップされた印刷用紙Ｐを、感光ドラム１２へ向かって搬送する。
【００３２】
１．３  ドラムカートリッジ
ドラムカートリッジ４は、トナーカートリッジ５を装着可能である。ドラムカートリッジ４は、感光ドラム１２と、帯電ローラ１３と、現像器１４とを備える。
【００３３】
感光ドラム１２は、軸方向に延びる第１軸Ａ１について回転可能である。感光ドラム１２は、軸方向に延び、円筒形状を有する。
【００３４】
帯電ローラ１３は、感光ドラム１２の周面を帯電させる。帯電ローラ１３は、感光ドラム１２の周面に接触する。なお、ドラムカートリッジ４は、帯電ローラ１３の代わりに、スコロトロン型帯電器などの非接触の帯電器を備えてもよい。
【００３５】
現像器１４は、現像ローラ１５を有する。すなわち、ドラムカートリッジ４は、現像ローラ１５を有する。現像ローラ１５は、現像器１４内のトナーを感光ドラム１２に供給する。現像ローラ１５は、感光ドラム１２の周面に接触する。
【００３６】
１．４  トナーカートリッジ
トナーカートリッジ５は、現像器１４に供給されるトナーを収容する。トナーカートリッジ５は、ドラムカートリッジ４に対して着脱可能である。トナーカートリッジ５は、ドラムカートリッジ４に装着された状態で、現像器１４にトナーを供給可能である。
【００３７】
１．５  露光装置
露光装置６は、感光ドラム１２を露光するように構成される。詳しくは、露光装置６は、帯電ローラ１３によって帯電された感光ドラム１２の周面を露光する。これにより、感光ドラム１２の周面に、静電潜像が、形成される。なお、現像ローラ１５によって静電潜像にトナーが供給されることにより、感光ドラム１２の周面に、トナー像が、形成される。露光装置６は、具体的には、レーザースキャンユニットまたはＬＥＤユニットである。
【００３８】
１．６  転写ローラ
転写ローラ７は、ドラムカートリッジ４が装置本体２に装着された状態で、感光ドラム１２と接触する。印刷用紙Ｐは、転写ローラ７と感光ドラム１２との間を通る。このとき、転写ローラ７は、感光ドラム１２の周面に形成されたトナー像を、印刷用紙Ｐに転写する。
【００３９】
１．７  定着器
定着装置８は、トナー像が転写された印刷用紙Ｐを加熱および加圧して、印刷用紙Ｐにトナー像を定着させるように構成される。定着装置８を通過した印刷用紙Ｐは、装置本体２の上面に排紙される。
【００４０】
２．トナーカートリッジの詳細
次に、図２から図５を参照して、トナーカートリッジ５の詳細について説明する。
【００４１】
図２および図３に示すように、トナーカートリッジ５は、第１筐体２１と、第１シャッター２２と、トーションバネ２０と、廃トナー収容器２３と、２つのロック部材２４Ａ、２４Ｂとを有する。
【００４２】
２．１  第１筐体
第１筐体２１は、トナー収容部２５と、トナー搬送管２６とを有する。
【００４３】
トナー収容部２５は、現像器１４に供給されるトナーを収容する。トナー収容部２５は、軸方向に延びる。トナー収容部２５は、円筒形状を有する。トナー収容部２５は、トナーを撹拌するためのアジテーター２５Ａを有する。アジテーター２５Ａは、トナー収容部２５内に位置する。
【００４４】
トナー搬送管２６は、現像器１４（図８参照）に供給されるトナーを収容する。トナー搬送管２６は、図３に示すように、第１部分２６Ａと第２部分２６Ｂとを有する。
【００４５】
第１部分２６Ａは、トナー収容部２５の周面に位置する。第１部分２６Ａは、軸方向に延びる。第１部分２６Ａは、円筒形状を有する。第１部分２６Ａの内部空間は、トナー収容部２５の内部空間に通じる。第２部分２６Ｂは、第１部分２６Ａから延びる。
【００４６】
第２部分２６Ｂは、装置本体２に対するドラムカートリッジ４の装着方向に延びる。装着方向は、軸方向と交差する。好ましくは、装着方向は、軸方向と直交する。なお、「直交する」とは、装着方向と軸方向とが交差する角度が９０°である場合に限られない。装着方向と軸方向とが交差する角度が８０°以上、１００°以下である場合を含む。第２部分２６Ｂは、装着方向において、第１部分２６Ａに対して、トナー収容部２５の反対側に位置する。第２部分２６Ｂの内部空間は、第１部分２６Ａの内部空間と通じる。第２部分２６Ｂは、図２に示すように、排出口２７と、スクリュー２８と、シール２９を有する。すなわち、第１筐体２１は、排出口２７を有する。
【００４７】
排出口２７は、第２部分２６Ｂの内部空間と通じる。これにより、排出口２７は、第２部分２６Ｂ内のトナーを排出可能である。
【００４８】
スクリュー２８は、第１部分２６Ａ（図３参照）および第２部分２６Ｂ内に位置する。スクリュー２８は、トナー収容部２５から第１部分２６Ａ内に供給されたトナーを、排出口２７まで搬送する。スクリュー２８は、具体的には、シャフトレス・スクリューである。
【００４９】
シール２９は、第２部分２６Ｂの外面に位置する。シール２９は、排出口２７の周りに位置する。シール２９は、排出口２７を囲む。シール２９は、第１シャッター２２が第１閉位置に位置する状態で、第１シャッター２２と接触する。これにより、シール２９は、第１シャッター２２が第１閉位置に位置する状態で、第２部分２６Ｂの外面と第１シャッター２２との間をシールする。
【００５０】
２．２  第１シャッター
第１シャッター２２は、図３および図４に示すように、トナー搬送管２６の第２部分２６Ｂに取り付けられる。第１シャッター２２は、排出口２７を閉鎖する第１閉位置（図３に実線で示す。）と、排出口２７を開放する第１開位置（図３に仮想線で示す。）との間で移動可能である。詳しくは、第１シャッター２２は、第１方向に延びる第２軸Ａ２について、第１閉位置と第１開位置との間を回動可能である。第１方向は、軸方向および装着方向と交差する。好ましくは、第１方向は、軸方向および装着方向と直交する。第１シャッター２２の移動方向は、第１方向と直交する方向である。すなわち、第１シャッター２２の移動方向は、装着方向と平行である。第１シャッター２２は、カバー２２Ａと、穴２２Ｂを有する。すなわち、トナーカートリッジ５は、穴２２Ｂを有し、穴２２Ｂは、カバー２２Ａとともに移動可能である。
【００５１】
カバー２２Ａは、第１シャッター２２が第１閉位置に位置する状態で、排出口２７を覆う。これにより、第１シャッター２２は、第１閉位置に位置する状態で、排出口２７を閉鎖する。カバー２２Ａは、第１シャッター２２が第１開位置に位置する状態で、排出口２７を覆わない。これにより、第１シャッター２２は、第１開位置に位置する状態で、排出口２７を開放する。カバー２２Ａは、平板形状を有する。
【００５２】
穴２２Ｂは、カバー２２Ａと異なる位置に位置する。穴２２Ｂは、具体的には、貫通穴である。穴２２Ｂは、トナーカートリッジ５がドラムカートリッジ４に装着された状態で、第２シャッター３３（図７参照）の突起３３Ｂと係合する。第２シャッター３３については、後述する。具体的には、穴２２Ｂには、トナーカートリッジ５がドラムカートリッジ４に装着された状態で、第２シャッター３３（図８参照）の突起３３Ｂが嵌まる。これにより、第１シャッター２２は、第２シャッター３３とともに回転可能となる。なお、第１シャッター２２は、穴２２Ｂの代わりに突起を有してもよい。この場合、第２シャッター３３は、突起３３Ｂの代わりに、第１シャッター２２の突起が嵌まる穴を有する。
【００５３】
２．３  トーションバネ
図３に示すトーションバネ２０は、第１開位置に位置する第１シャッター２２を、第１閉位置に向かって押圧する。トーションバネ２０の一端は、第２部分２６Ｂに取り付けられ、トーションバネ２０の他端は、第１シャッター２２に取り付けられる。
【００５４】
２．４  廃トナー収容器
廃トナー収容器２３は、図２および図５に示すように、装着方向において、トナー収容部２５に対して、トナー搬送管２６の反対側に位置する。廃トナー収容器２３は、ドラムクリーナー３６Ｃ（図６参照）によって感光ドラム１２の周面から取り除かれた廃トナーを、収容する。ドラムクリーナー３６Ｃについては、後で説明する。廃トナー収容器２３は、第１位置（図５参照）と第２位置（図１２参照）との間を、第１筐体２１に対して移動可能である。具体的には、廃トナー収容器２３は、第１位置と第２位置との間を、軸Ａについて回動可能である。廃トナー収容器２３は、図５に示すように、廃トナー受入口２３Ａと、シャッター２３Ｂと、スクリュー２３Ｃと、取っ手２３Ｄとを有する。
【００５５】
廃トナー受入口２３Ａは、廃トナー収容器２３の外面に位置する。廃トナー受入口２３Ａは、廃トナー収容器２３の内部空間と通じる。廃トナー受入口２３Ａは、図１２に示すように、トナーカートリッジ５がドラムカートリッジ４に装着された状態で、廃トナー収容器２３が第２位置に位置する場合、廃トナー搬送管３５の廃トナー排出口３５Ａと通じる。これにより、廃トナー収容器２３は、トナーカートリッジ５がドラムカートリッジ４に装着された状態で、廃トナー収容器２３が第２位置に位置する場合、廃トナー搬送管３５から廃トナーを受け入れ可能である。廃トナー搬送管３５については、後で説明する。なお、廃トナー受入口２３Ａは、トナーカートリッジ５がドラムカートリッジ４に装着された状態で、廃トナー収容器２３が第１位置に位置する場合、廃トナー搬送管３５の廃トナー排出口３５Ａと通じない。つまり、廃トナー収容器２３は、トナーカートリッジ５がドラムカートリッジ４に装着された状態で、廃トナー収容器２３が第１位置に位置する場合、廃トナーを受け入れることができない。
【００５６】
シャッター２３Ｂは、図５および図１２に示すように、廃トナー受入口２３Ａを閉鎖する閉位置（図５参照）と、廃トナー受入口２３Ａを開放する開位置（図１２参照）との間を、廃トナー収容器２３に対して、移動可能である。図５に示すように、廃トナー収容器２３が第１位置に位置する場合、シャッター２３Ｂは、閉位置に位置する。また、図１２に示すように、廃トナー収容器２３が第２位置に位置する場合、シャッター２３Ｂは、開位置に位置する。
【００５７】
スクリュー２３Ｃは、図３に示すように、廃トナー収容器２３内に位置する。スクリュー２３Ｃは、軸方向に延びる。スクリュー２３Ｃは、廃トナー収容器２３内の廃トナーを軸方向に搬送する。スクリュー２３Ｃは、具体的には、オーガスクリューである。
【００５８】
取っ手２３Ｄは、図３および図５に示すように、廃トナー収容器２３から延びる。取っ手２３Ｄは、第１アーム２３１と、第２アーム２３２と、バー２３３とを有する。
【００５９】
第１アーム２３１は、軸方向における廃トナー収容器２３の一端部から延びる。第１アーム２３１は、凹部２３４Ａ（図２参照）を有する。廃トナー収容器２３が第１位置に位置する状態で、凹部２３４Ａには、ロック部材２４Ａの爪２４１Ａ（図５参照）が嵌まる。
【００６０】
第２アーム２３２は、軸方向における廃トナー収容器２３の他端部から延びる。第２アーム２３２は、軸方向において、第１アーム２３１から離れて位置する。第２アーム２３２は、凹部２３４Ｂを有する。廃トナー収容器２３が第１位置に位置する状態で、凹部２３４Ｂには、ロック部材２４Ｂの爪２４１Ｂ（図５参照）が嵌まる。凹部２３４Ａにロック部材２４Ａの爪２４１Ａが嵌まり、凹部２３４Ｂにロック部材２４Ｂの爪２４１Ｂが嵌まることにより、廃トナー収容器２３は、第１位置に維持される。
【００６１】
バー２３３は、第１アーム２３１と第２アーム２３２との間に位置する。バー２３３は、軸方向に延び、円柱形状を有する。軸方向におけるバー２３３の一端は、第１アーム２３１に接続される。軸方向におけるバー２３３の他端は、第２アーム２３２に接続される。
【００６２】
２．５  ２つのロック部材
ロック部材２４Ａは、図３に示すように、軸方向における第１筐体２１の一方の側面に位置する。ロック部材２４Ａは、ロック位置（図３参照）と、ロック解除位置（図示せず）との間を、第１筐体２１に対して回動可能である。ロック部材２４Ａは、爪２４１Ａを有する。ロック部材２４Ａがロック解除位置からロック位置へ回動する場合、爪２４１Ａは、軸方向において、第１筐体２１に近づく方向へ移動する。ロック部材２４Ａがロック位置に位置する場合、爪２４１Ａは、第１アーム２３１の凹部２３４Ａ（図２参照）に嵌まる。一方、ロック部材２４Ａがロック位置からロック解除位置へ回動する場合、爪２４１Ａは、軸方向において、第１筐体２１から離れる方向へ移動する。ロック部材２４Ａがロック解除位置に位置する場合、爪２４１Ａは、第１アーム２３１の凹部２３４Ａから外れる。
【００６３】
ロック部材２４Ｂは、軸方向における第１筐体２１の他方の側面に位置する。ロック部材２４Ｂは、爪２４１Ｂを有する。ロック部材２４Ｂは、ロック部材２４Ａと同様の構造を有し、ロック部材２４Ａと同様に説明できる。そのため、ロック部材２４Ｂについての説明を省略する。
【００６４】
３．ドラムカートリッジの詳細
次に、図６から図８を参照して、ドラムカートリッジ４の詳細について説明する。
【００６５】
図６および図７に示すように、ドラムカートリッジ４は、フレーム３１と、第２筐体３２と、第２シャッター３３と、バネ３４（図８参照）と、廃トナー搬送管３５（図７参照）とを有する。
【００６６】
３．１  フレーム
フレーム３１は、トナーカートリッジ５を装着可能である。詳しくは、フレーム３１は、ドラム側板３６Ａと、ドラム側板３６Ｂと、ドラムクリーナー３６Ｃとを有する。
【００６７】
ドラム側板３６Ａは、軸方向におけるフレーム３１の一端部に位置する。ドラム側板３６Ａは、装着方向に延びる。ドラム側板３６Ａは、軸方向における感光ドラム１２の一端を支持する。ドラム側板３６Ａは、貫通穴３７Ａおよび貫通穴３７Ｂを有する。貫通穴３７Ａは、装着方向に延びる長穴である。また、貫通穴３７Ｂは、装着方向に延びる長穴である。貫通穴３７Ｂは、装着方向において、貫通穴３７Ａから離れて位置する。
【００６８】
ドラム側板３６Ｂは、軸方向におけるフレーム３１の他端部に位置する。ドラム側板３６Ｂは、軸方向において、ドラム側板３６Ａから離れて位置する。ドラム側板３６Ｂは、装着方向に延びる。ドラム側板３６Ｂは、軸方向における感光ドラム１２の他端を支持する。ドラム側板３６Ｂは、図１０に示すように、貫通穴３８Ａ、貫通穴３８Ｂおよびスリット３８Ｃを有する。貫通穴３８Ａおよび貫通穴３８Ｂのそれぞれは、装着方向に延びる長穴である。貫通穴３８Ｂは、装着方向において、貫通穴３８Ａから離れて位置する。スリット３８Ｃは、装着方向に延びる。
【００６９】
図６に示すように、ドラムクリーナー３６Ｃは、トナー像が印刷用紙Ｐに転写された後の感光ドラム１２の周面を、クリーニングする。ドラムクリーナー３６Ｃは、クリーナーフレーム３６１と、クリーニングブレード３６２とを備える。
【００７０】
クリーナーフレーム３６１は、図７に示すように、軸方向において、ドラム側板３６Ａとドラム側板３６Ｂとの間に位置する。クリーナーフレーム３６１は、軸方向に延びる。クリーナーフレーム３６１は、角筒形状を有する。軸方向におけるクリーナーフレーム３６１の一端は、ドラム側板３６Ａに接続する。軸方向におけるクリーナーフレーム３６１の他端は、ドラム側板３６Ｂに接続する。クリーナーフレーム３６１は、図６に示すように、開口３６１Ａを有する。開口３６１Ａは、クリーナーフレーム３６１の内部空間に通じる。
【００７１】
クリーニングブレード３６２は、クリーナーフレーム３６１に取り付けられる。クリーニングブレード３６２は、軸方向に延び、板形状を有する。クリーニングブレード３６２のエッジは、開口３６１Ａ内に位置する。クリーニングブレード３６２のエッジは、感光ドラム１２の周面に接触する。これにより、感光ドラム１２が回転したときに、感光ドラム１２の周面に付着したトナーは、クリーニングブレード３６２のエッジによって掻き取られ、開口３６１Ａを介して、クリーナーフレーム３６１内に収容される。
【００７２】
３．２  第２筐体
第２筐体３２は、図６および図７に示すように、現像器１４のフレームである。第２筐体３２は、軸方向において、ドラム側板３６Ａとドラム側板３６Ｂとの間に位置する。第２筐体３２は、第１側板４１Ａと、第２側板４１Ｂとを有する。
【００７３】
第１側板４１Ａは、軸方向における第２筐体３２の一端部に位置する。第１側板４１Ａは、装着方向に延びる。第１側板４１Ａは、ボス４２Ａおよびボス４２Ｂを有する。ボス４２Ａおよびボス４２Ｂのそれぞれは、第１側板４１Ａから軸方向に延びる。ボス４２Ａは、ドラム側板３６Ａの貫通穴３７Ａに嵌まる。ボス４２Ｂは、ドラム側板３６Ａの貫通穴３７Ｂに嵌まる。
【００７４】
第２側板４１Ｂは、軸方向において、第１側板４１Ａと間隔を隔てて位置する。第２側板４１Ｂは、軸方向における第２筐体３２の他端部に位置する。第２側板４１Ｂは、装着方向に延びる。第２側板４１Ｂは、図８に示すように、ボス４３Ａおよびボス４３Ｂを有する。ボス４３Ａおよびボス４３Ｂのそれぞれは、第２側板４１Ｂから軸方向に延びる。ボス４３Ａは、図１０に示すように、ドラム側板３６Ｂの貫通穴３８Ａに嵌まる。ボス４３Ｂは、ドラム側板３６Ｂの貫通穴３８Ｂに嵌まる。ボス４２Ａ（図７参照）が貫通穴３７Ａ（図７参照）に嵌まり、ボス４２Ｂ（図７参照）が貫通穴３７Ｂ（図７参照）に嵌まり、ボス４３Ａが貫通穴３８Ａに嵌まり、ボス４３Ｂが貫通穴３８Ｂに嵌まることにより、フレーム３１は、第２筐体３２が感光ドラム１２に対して移動可能となるように、第２筐体３２を支持する。具体的には、フレーム３１は、第２筐体３２が装着方向に移動可能となるように、第２筐体３２を支持する。すなわち、感光ドラム１２に対する第２筐体３２の移動方向は、装着方向と同じ方向であり、第２シャッター３３（図６参照）の移動方向と平行である。
【００７５】
また、第２筐体３２は、図６および図７に示すように、受入口３２Ａと、シール３２Ｂとを有する。
【００７６】
受入口３２Ａは、第１方向における第２筐体３２の外面に位置する。受入口３２Ａは、第２筐体３２の内部空間と通じる。受入口３２Ａは、トナーカートリッジ５がドラムカートリッジ４に装着された状態において、第１方向において、排出口２７（図１１参照）と向かい合う。詳しくは、受入口３２Ａは、トナーカートリッジ５が装着されたドラムカートリッジ４が装置本体２に装着された状態において、第１シャッター２２が第１開位置に位置し、第２シャッター３３が第２開位置に位置することにより、排出口２７と通じる。これにより、受入口３２Ａは、排出口２７から排出されたトナーを受け入れ可能である。なお、受入口３２Ａは、トナーカートリッジ５が装着されたドラムカートリッジ４が装置本体２から取り外されている状態において、第１シャッター２２が第１閉位置に位置し、第２シャッター３３が第２閉位置に位置することにより、排出口２７と通じない。
【００７７】
シール３２Ｂは、図６および図７に示すように、第１方向における第２筐体３２の外面に位置する。シール３２Ｂは、受入口３２Ａの周りに位置する。シール３２Ｂは、受入口３２Ａを囲む。シール３２Ｂは、第２シャッター３３が第２閉位置に位置する状態で、第２シャッター３３と接触する。これにより、シール３２Ｂは、第２シャッター３３が第２閉位置に位置する状態で、第２筐体３２の外面と第２シャッター３３との間をシールする。なお、画像形成装置１によって画像形成される場合、現像器１４は、現像ローラ１５および感光ドラム１２が互いに接触した状態で回転することにより生じる振動によって、感光ドラム１２に対して移動する。装着方向におけるシール３２Ｂの長さは、現像器１４が感光ドラム１２に対して移動した場合でも、第２シャッター３３との接触が解除されないような長さである。
【００７８】
３．３  第２シャッター
第２シャッター３３は、図７および図８に示すように、第２筐体３２に取り付けられる。第２シャッター３３は、受入口３２Ａを閉鎖する第２閉位置（図８参照）と、受入口３２Ａを開放する第２開位置（図９参照）との間で移動可能である。詳しくは、第２シャッター３３は、第１方向に延びる第３軸Ａ３について、第２閉位置と第２開位置との間を回動可能である。つまり、第２シャッター３３の移動方向は、第１方向と直交する方向である。すなわち、第２シャッター３３の移動方向は、装着方向と平行である。第２シャッター３３は、カバー３３Ａと、突起３３Ｂと、レバー３３Ｃとを有する。すなわち、ドラムカートリッジ４は、レバー３３Ｃを有する。レバー３３Ｃは、カバー３３Ａと突起３３Ｂとともに移動可能である。
【００７９】
カバー３３Ａは、図７に示すように、軸方向において、第１側板４１Ａと第２側板４１Ｂとの間に位置する。すなわち、第２シャッター３３は、軸方向において、第１側板４１Ａと第２側板４１Ｂの間に位置する。また、カバー３３Ａは、軸方向において、ドラム側板３６Ａとドラム側板３６Ｂとの間に位置する。カバー３３Ａは、図８に示すように、第２シャッター３３が第２閉位置に位置する状態で、受入口３２Ａを覆う。これにより、第２シャッター３３は、第２閉位置に位置する状態で、受入口３２Ａを閉鎖する。一方、カバー３３Ａは、図９に示すように、第２シャッター３３が第２開位置に位置する状態で、受入口３２Ａを覆わない。これにより、第２シャッター３３は、第２開位置に位置する状態で、受入口３２Ａを開放する。カバー３３Ａは、平板形状を有する。
【００８０】
突起３３Ｂは、図８に示すように、カバー３３Ａと異なる位置に位置する。突起３３Ｂは、トナーカートリッジ５がドラムカートリッジ４に装着された状態で、第１シャッター２２の穴２２Ｂ（図４参照）に嵌まる。これにより、第２シャッター３３は、第１シャッター２２とともに回転可能となる。
【００８１】
レバー３３Ｃは、カバー３３Ａから延びる。第３軸Ａ３は、軸方向において、レバー３３Ｃとカバー３３Ａとの間に位置する。また、カバー３３Ａは、軸方向において、突起３３Ｂとレバー３３Ｃとの間に位置する。レバー３３Ｃの少なくとも一部は、軸方向において、第２側板４１Ｂに対して第１側板４１Ａ（図７参照）の反対側に位置する。また、レバー３３Ｃの少なくとも一部は、軸方向において、ドラム側板３６Ｂに対してドラム側板３６Ａ（図７参照）の反対側に位置する。レバー３３の少なくとも一部は、ドラム側板３６Ａのスリット３８Ｃから露出する。レバー３３Ｃは、トナーカートリッジ５が装着されたドラムカートリッジ４が装置本体２に装着されるときに、装置本体２の一部１００と接触して、第２シャッター３３を第２閉位置から第２開位置に移動させる。
【００８２】
なお、「トナーカートリッジ５が装着されたドラムカートリッジ４が装置本体２に装着されるときに」とは、トナーカートリッジ５が装着されたドラムカートリッジ４がユーザーによって装置本体２に装着される一連の動作において、いずれかのタイミングで、という意味である。つまり、レバー３３Ｃが第２シャッター３３を第２閉位置から第２開位置に移動させるタイミングは、トナーカートリッジ５が装着されたドラムカートリッジ４が装置本体２に装着される瞬間に限定されない。また、「トナーカートリッジ５が装着されたドラムカートリッジ４が装置本体２に装着されるときに」には、「トナーカートリッジ５が装着されたドラムカートリッジ４が装置本体２に装着された状態」は、含まれない。
【００８３】
また、装置本体２の一部１００は、装置本体２内に位置する。具体的には、装置本体２の一部１００は、装置本体２内に位置する突起である。
【００８４】
また、レバー３３Ｃは、図９に示すように、ドラムカートリッジ４が装置本体２に装着された状態で、装置本体２の一部１００と接触し続ける。これにより、レバー３３Ｃは、第２シャッター３３を第２開位置に維持させる。
【００８５】
３．４  バネ
図８に示すバネ３４は、具体的には、引張ばねである。バネ３４の一端は、第２筐体３２に取り付けられる。バネ３４の他端は、レバー３３Ｃに取り付けられる。バネ３４は、第２開位置（図９参照）に位置する第２シャッター３３を第２閉位置（図８参照）に向かって引っ張る。これにより、バネ３４は、ドラムカートリッジ４が装置本体２から離脱された状態において、第２シャッター３３を第２閉位置に位置させる。
【００８６】
３．５  廃トナー搬送管
廃トナー搬送管３５は、図１２に示すように、トナーカートリッジ５がドラムカートリッジ４に装着された状態で、ドラムクリーナー３６Ｃ（図１１参照）と廃トナー収容器２３とを接続する。廃トナー搬送管３５は、廃トナー排出口３５Ａと、シャッター３５Ｂと、スクリュー３５Ｃとを有する。
【００８７】
廃トナー排出口３５Ａは、廃トナー搬送管３５の内部空間と通じる。トナーカートリッジ５がドラムカートリッジ４に装着された状態で、廃トナー収容器２３が第２位置に位置する場合、シャッター３５Ｂが開位置に位置することにより、廃トナー排出口３５Ａは、廃トナー収容器２３の廃トナー受入口２３Ａと通じる。これにより、廃トナー搬送管３５は、トナーカートリッジ５がドラムカートリッジ４に装着された状態で、廃トナー収容器２３が第２位置に位置する場合、廃トナー収容器２３に廃トナーを供給可能である。シャッター３５Ｂの開位置については、後で説明する。なお、トナーカートリッジ５がドラムカートリッジ４に装着された状態で、廃トナー収容器２３が第１位置（図５参照）に位置する場合、シャッター３５Ｂが閉位置に位置することにより、廃トナー排出口３５Ａは、廃トナー収容器２３の廃トナー受入口２３Ａと通じない。つまり、廃トナー搬送管３５は、トナーカートリッジ５がドラムカートリッジ４に装着された状態で、廃トナー収容器２３が第１位置に位置する場合、廃トナー収容器２３に廃トナーを供給できない。
【００８８】
シャッター３５Ｂは、図１０および図１２に示すように、閉位置（図１０参照）と、開位置（図１２参照）との間を、廃トナー搬送管３５に対して、移動可能である。シャッター３５Ｂは、トナーカートリッジ５がドラムカートリッジ４に装着された状態で、廃トナー収容器２３とともに回動可能となる。詳しくは、シャッター３５Ｂは、突起３５１と、突起３５２と、開口３５３とを有する。
【００８９】
突起３５１は、トナーカートリッジ５がドラムカートリッジ４に装着された状態で、廃トナー収容器２３が第１位置（図５参照）から第２位置（図１２参照）へ回動する場合に、廃トナー収容器２３と接触する。これにより、シャッター３５Ｂは、トナーカートリッジ５がドラムカートリッジ４に装着された状態で、廃トナー収容器２３の第１位置から第２位置への回動に伴って、閉位置から開位置へ移動する。
【００９０】
突起３５２は、トナーカートリッジ５がドラムカートリッジ４に装着された状態で、廃トナー収容器２３が第２位置（図１２参照）から第１位置（図５参照）へ回動する場合に、廃トナー収容器２３と接触する。これにより、シャッター３５Ｂは、トナーカートリッジ５がドラムカートリッジ４に装着された状態で、廃トナー収容器２３の第２位置から第１位置への回動に伴って、開位置から閉位置へ移動する。
【００９１】
開口３５３は、図１２に示すように、シャッター３５Ｂが開位置に位置する状態で、廃トナー排出口３５Ａと通じる。これにより、シャッター３５Ｂは、開位置に位置する状態で、廃トナー排出口３５Ａを開放する。また、開口３５３は、図１０に示すように、シャッター３５Ｂが閉位置に位置する状態で、廃トナー排出口３５Ａから離れて位置し、廃トナー排出口３５Ａと通じない。この場合、シャッター３５Ｂは、廃トナー排出口３５Ａを覆う。これにより、シャッター３５Ｂは、閉位置に位置する状態で、廃トナー排出口３５Ａを閉鎖する。
【００９２】
スクリュー３５Ｃは、図７および図１０に示すように、ドラムクリーナー３６Ｃおよび廃トナー搬送管３５の内部に位置する。スクリュー３５Ｃは、ドラムクリーナー３６Ｃ内の廃トナーを、廃トナー排出口３５Ａまで搬送する。スクリュー３５Ｃは、シャフトレス・スクリューである。
【００９３】
４．ドラムカートリッジに対するトナーカートリッジの装着状態
次に、図１１および図１２を参照して、ドラムカートリッジ４に対するトナーカートリッジ５の装着状態について説明する。
【００９４】
トナーカートリッジ５がドラムカートリッジ４に装着された状態では、図１１に示すように、第１シャッター２２は、第１閉位置に位置し、第２シャッター３３は、第２閉位置に位置する。そのため、トナーカートリッジ５は、現像器１４にトナーを供給できない。
【００９５】
なお、図１２に示すように、トナーカートリッジ５がドラムカートリッジ４に装着された状態で、廃トナー収容器２３が第２位置に位置する場合、シャッター２３Ｂは、開位置に位置し、シャッター３５Ｂは、開位置に位置する。これにより、廃トナー搬送管３５は、廃トナー収容器２３へ廃トナーを供給可能である。
【００９６】
５．トナーカートリッジが装着されたドラムカートリッジの装置本体に対する装着
次に、トナーカートリッジ５が装着されたドラムカートリッジ４の装置本体２に対する装着について説明する。
【００９７】
トナーカートリッジ５が装着されたドラムカートリッジ４（図１１参照）が装置本体２に装着されるとき、図７および図９に示すように、第２シャッター３３は、レバー３３Ｃが装置本体２の一部１００と接触することにより、第２閉位置から第２開位置へ向かって、第３軸Ａ３について回動する。このとき、第２シャッター３３の突起３３Ｂが第１シャッター２２の穴２２Ｂ（図４参照）に嵌まっていることにより、第１シャッター２２も、第２シャッター３３とともに、第１閉位置から第１開位置へ向かって回動する。
【００９８】
すなわち、画像形成装置１は、トナーカートリッジ５が装着されたドラムカートリッジ４が装置本体２に装着されるときに、第１シャッター２２が第１閉位置から第１開位置へ移動するとともに、第２シャッター３３が第２閉位置から第２開位置へ移動するように構成される。
【００９９】
また、トナーカートリッジ５が装着されたドラムカートリッジ４（図１１参照）が装置本体２から取り外されるとき、第２シャッター３３は、バネ３４（図７参照）によって引っ張られることにより、第２開位置から第２閉位置へ向かって、第３軸Ａ３について回動する。また、第１シャッター２２も、第２シャッター３３とともに、第１開位置から第１閉位置へ向かって回動する。
【０１００】
すなわち、画像形成装置１は、トナーカートリッジ５が装着されたドラムカートリッジ４が装置本体２から離脱されるときに、第１シャッター２２が第１開位置から第１閉位置へ移動するとともに、第２シャッター３３が第２開位置から前記第２閉位置へ移動するように構成される。
【０１０１】
６．作用効果
（１）画像形成装置１によれば、図７および図１０に示すように、トナーカートリッジ５が装着されたドラムカートリッジ４が装置本体２に装着されるときに、第２シャッター３３を第２閉位置（図７参照）から第２開位置（図１０参照）へ移動させることができる。このとき、第２シャッター３３の突起３３Ｂが第１シャッター２２の穴２２Ｂに嵌まっていることにより、第１シャッター２２を、第２シャッター３３とともに、第１閉位置から第１開位置へ移動させることができる。
【０１０２】
また、トナーカートリッジ５が装着されたドラムカートリッジ４が装置本体２から離脱されるときに、バネ３４（図８参照）により、第２シャッター３３を第２開位置から第２閉位置へ移動させることができる。このとき、第１シャッター２２を、第２シャッター３３とともに、第１開位置から第１閉位置へ移動させることができる。
【０１０３】
その結果、トナーカートリッジ５に第１シャッター２２が設けられ、かつ、ドラムカートリッジ４に第２シャッター３３が設けられている構成において、トナーカートリッジ５をドラムカートリッジ４から取り外す際に第１シャッター２２および第２シャッター３３を閉じる操作を行う必要が無く、１つの動作でトナーカートリッジ５をドラムカートリッジ４から取り外すことができる。
【０１０４】
（２）また、画像形成装置１によれば、図９に示すように、レバー３３Ｃは、トナーカートリッジ５が装着されたドラムカートリッジ４が装置本体２に装着された状態で、装置本体２の一部と接触して、第２シャッター３３を第１開位置に維持させる。
【０１０５】
これにより、簡易な構成で、トナーカートリッジ５が装着されたドラムカートリッジ４が装置本体２に装着された状態で、第２シャッター３３を第１開位置に維持できる。
【０１０６】
（３）また、画像形成装置１によれば、図９に示すように、トナーカートリッジ５がドラムカートリッジ４に装着された状態で、レバー３３Ｃの少なくとも一部は、軸方向において、第２側板３６Ｂに対して第１側板３６Ａの反対側に位置する。
【０１０７】
これにより、簡易な構成で、レバー３３Ｃに、装置本体２の一部を接触させることができる。
【０１０８】
（４）また、画像形成装置１によれば、バネ３４は、図８に示すように、ドラムカートリッジ４が装置本体２から離脱された状態において、第２シャッター３３を第２閉位置に位置させる。
【０１０９】
そのため、ドラムカートリッジ４が装置本体２から離脱される際に、ユーザーが第２シャッター３３を操作することなく、バネ３４によって、第２シャッター３３を第２閉位置に位置させることができる。
【０１１０】
（５）また、画像形成装置１によれば、図１１に示すように、トナーカートリッジ５がドラムカートリッジ４に装着された状態において、第１方向において、受入口３２Ａと排出口２７とが向かい合う。
【０１１１】
そのため、トナーカートリッジ５が装着されたドラムカートリッジ４が装置本体２に装着されるときに、受入口３２Ａと排出口２７とが向かい合った状態で、第２シャッター３３を第２閉位置から第２開位置へ移動させるとともに、第１シャッター２２を第１閉位置から第１開位置へ移動させることができる。
【０１１２】
また、トナーカートリッジ５が装着されたドラムカートリッジ４が装置本体２から離脱されるときにも、受入口３２Ａと排出口２７とが向かい合った状態で、第２シャッター３３を第２開位置から第２閉位置へ移動させるとともに、第１シャッター２２を第１開位置から第１閉位置へ移動させることができる。
【０１１３】
その結果、トナー漏れを抑制することができる。
【０１１４】
７．第２実施形態
次いで、図１３から図１６を参照して、第２実施形態について説明する。第２実施形態において、第１実施形態と同様の部材には同じ符号を付し、説明を省略する。
【０１１５】
７．１  第２実施形態の概要
図１３および図１４に示すように、第１シャッター５１は、トナーカートリッジ５が装着された状態のドラムカートリッジ４が装置本体２に装着されるときに、装置本体２の一部２００（図１４参照）と接触して、第１閉位置（図１３参照）から第１開位置（図１４参照）へ移動するように構成される。
【０１１６】
また、第２シャッター６１は、トナーカートリッジ５が装着された状態のドラムカートリッジ４が装置本体２に装着されるときに、装置本体２の一部２００（図１４参照）と接触して、第２閉位置（図１３参照）から第２開位置（図１４参照）へ移動するように構成される。
【０１１７】
装置本体２の一部２００は、開口２００Ａを有する。開口２００Ａは、トナーカートリッジ５が装着された状態のドラムカートリッジ４が装置本体２に装着された状態で、排出口５２（図１５参照）と、受入口６２（図１６参照）との間に位置する。言い換えると、トナーカートリッジ５が装着された状態のドラムカートリッジ４が装置本体２に装着された状態で、排出口５２と受入口６２とは、開口２００Ａを介して通じる。これにより、排出口５２から受入口６２へ、開口２００Ａを通して、トナーを供給可能である。
【０１１８】
排出口５２は、図１５に示すように、軸方向におけるトナーカートリッジ５の一端部に位置する。受入口６２は、図１６に示すように、軸方向におけるドラムカートリッジ４の一端部に位置する。トナーカートリッジ５がドラムカートリッジ４に装着された状態で、排出口５２と受入口６２とは、装着方向と直交する方向、すなわち第１方向において、重なる。また、トナーカートリッジ５がドラムカートリッジ４に装着された状態で、排出口５２と受入口６２とは、軸方向において、第１側板４１Ａに対して第２側板４１Ｂの反対側に位置する。また、トナーカートリッジ５がドラムカートリッジ４に装着された状態で、排出口５２と受入口６２とは、軸方向において、ドラム側板３６Ａに対してドラム側板３６Ｂの反対側に位置する。
【０１１９】
以下、第１シャッター５１および第２シャッター６１について説明する。
【０１２０】
７．２  第１シャッターの詳細
図１３および図１４に示すように、第１シャッター５１は、装着方向において、第１閉位置と第１開位置との間を移動可能である。第１シャッター５１は、装着方向に延びる平板形状を有する。第１シャッター５１は、第１閉位置に位置する場合、排出口５２（図１５参照）を覆う。第１シャッター５１は、第１開位置に位置する場合、装着方向において排出口５２から離れ、排出口５２を覆わない。第１シャッター５１は、スポンジ５１Ａを有する。スポンジ５１Ａは、トナーカートリッジ５がドラムカートリッジ４に装着された状態で、第２シャッター６１に接触する。
【０１２１】
７．３  第２シャッターの詳細
図１３および図１４に示すように、第２シャッター６１は、装着方向において、第２閉位置と第２開位置との間を移動可能である。第２シャッター６１は、装着方向に延びる平板形状を有する。第２シャッター６１は、第２閉位置に位置する場合、受入口６２（図１６参照）を覆う。第２シャッター６１は、第２開位置に位置する場合、装着方向において受入口６２から離れ、受入口６２を覆わない。
【０１２２】
７．４  第２実施形態の作用効果
第２実施形態においても、第１実施形態と同様の作用効果を得ることができる。
【符号の説明】
【０１２３】
１        画像形成装置
２        装置本体
４        ドラムカートリッジ
５        トナーカートリッジ
１２      感光ドラム
１５      現像ローラ
２１      第１筐体
２２      第１シャッター
２２Ｂ    係合部
２７      排出口
３１      フレーム
３２      第２筐体
３２Ａ    受入口
３３      第２シャッター
３３Ｃ    レバー
３４      バネ
４１Ａ    第１側板
４１Ｂ    第２側板
５１      第１シャッター
５２      排出口
６１      第２シャッター
６２      受入口
１００    装置本体の一部
２００    装置本体の一部
２００Ａ  開口
Ａ１      第１軸
Ａ２      第２軸
Ａ３      第３軸
Ｐ        印刷媒体
【図１】
2020020889.tif 000003
【図２】
2020020889.tif 000004
【図３】
2020020889.tif 000005
【図４】
2020020889.tif 000006
【図５】
2020020889.tif 000007
【図６】
2020020889.tif 000008
【図７】
2020020889.tif 000009
【図８】
2020020889.tif 000010
【図９】
2020020889.tif 000011
【図１０】
2020020889.tif 000012
【図１１】
2020020889.tif 000013
【図１２】
2020020889.tif 000014
【図１３】
2020020889.tif 000015
【図１４】
2020020889.tif 000016
【図１５】
2020020889.tif 000017
【図１６】
2020020889.tif 000018